(57)【特許請求の範囲】
【請求項１】
包装紙で形成された包装箱であって、
未開封状態で直交する壁部が端部で相互に接合された箱状をなして内部に一又は複数の被包装体を収容するための包装部を複数連接してなり、
前記包装部は、前記壁部を当該壁部に直交した他の壁部から分離する又は前記壁部を複数片に分離するための切れ目が形成されたミシン目線と、当該ミシン目線により分離される壁部又は複数片を折りこむための折れ目が形成された折れ目線と、を有し、当該包装部に収容された被包装体が取り出された際、前記ミシン目線に沿って切れ目が入れられるとともに前記折れ目線に沿って折りこまれることで、当該包装部の体積が減少するように変形し、
未開封状態で前記収容された被包装体の側面を覆う壁部には、スリットが形成され、
未開封状態で前記スリットが形成された壁部に接合され当該壁部と共有する辺に前記ミシン目線が形成された壁部には、前記共有する辺に前記スリットと係合する係合部が連接されていることを特徴とする包装箱。
【請求項２】
請求項１に記載の包装箱において、
前記各包装部は、複数の被包装体を収容し、
前記包装部は、当該包装部に収容された被包装体が取り出された際、前記ミシン目線に沿って切れ目が入れられるとともに前記折れ目線に沿って折りこまれることで、当該包装部の体積が前記取り出された被包装体の個数に応じて減少するように変形することを特徴とする包装箱。
【請求項３】
請求項１又は２に記載の包装箱において、
前記被包装体はロール状に巻回された家庭用薄葉紙であることを特徴とする包装箱。
【発明の詳細な説明】
【技術分野】
【０００１】
本発明は、トイレットペーパーやキッチンタオル等の被包装体を包装する包装箱に関する。
【背景技術】
【０００２】
従来、トイレットペーパーやキッチンタオル等の被包装体をパッケージフィルムで包装した包装袋が知られている。当該包装袋は、一般に軟質で且つ強度の高いパッケージフィルムを使用するため、開封が容易ではなかった。そのため、包装袋は、消費者が無理やりに開封しようとすることでパッケージフィルムに破れが生じ、見栄えが悪くなるとともに、被包装体を収納し辛くなるなどの難点があった。
【０００３】
そこで、各一対の側板及び端板を連設して四角筒状の周壁を形成し、一対の端板を上下に配置し、一方の側板の前端に蓋を連設し、後面を閉じる後壁を設け、他方の側板の前端に保持片を連設し、保持片に折目線及び切目線を入れて、切詰部を形成しておき、物品の収納に際して、保持片で収納空間を制限しない大容量状態と、保持片を折目線沿いに巻くように折り曲げて第１スペーサを形成した中容量状態と、切目線の少なくとも一部分を切断し、切詰部を折目線沿いに巻くように折り曲げて第２スペーサを形成し、下方に残存した第１スペーサと後壁との間に第２スペーサを嵌め込んだ小容量状態とを選択できるようにした包装箱が知られている（特許文献１参照）。
【０００４】
当該特許文献１記載の包装箱によると、被包装体をパッケージフィルムよりも硬質な紙や段ボール等で包装しているために開封が容易であるので、開封後の見栄えが悪くならない。また、特許文献１記載の発明の包装箱には、切目線や折目線が適宜に設けることで、被包装体の収容量に応じて当該被包装体の収容スペースを可変にできる。ただし、収容スペースは包装箱内部において被包装体を収容する仕切り位置が変更されるものであり、包装箱全体が小型化するわけではない。そのため、被包装体を順次取り出すにつれて包装箱全体に占める無駄なスペースが増大するという欠点がある。
【０００５】
そこで、ショートケーキ等の生菓子類からなる被包装体の包装に使用される包装箱であって、箱本体の周壁の高さ方向の略中央に箱本体を上下に分割するための分断用切目線が周方向に沿って設けられたものが知られている（特許文献２参照）。
【０００６】
当該特許文献２記載の包装箱によると、箱本体の底部側に収容された被包装体を取り出した後、分断用切目線に沿って分断することで、被包装体の収容量に応じて当該被包装体の収容スペースを小さくできるとともに、包装箱全体も小型化することができる。
【先行技術文献】
【特許文献】
【０００７】
【特許文献１】特開２００９−２７４７６０号
【特許文献２】実公平６−１９４５４号
【発明の開示】
【発明が解決しようとする課題】
【０００８】
しかしながら、特許文献２記載の包装箱によると、包装箱全体が小型化する一方で、当該包装箱のうち分断用切目線に沿って分断された部分は、完全に包装箱そのものと分かれ分かれに切り離されることになる（つまり、分断された部分は包装箱から切除される）。そのため、特許文献２記載の包装箱では、被包装体を取り出した後、包装箱の再利用の途に乏しいという問題がある。
【０００９】
本発明の課題は、被包装体を取り出すにつれて小型化できて且つ再利用し易い包装箱を提供することにある。
【課題を解決するための手段】
【００１０】
以上の課題を解決するため、請求項１に記載の発明は、包装紙で形成された包装箱であって、未開封状態で直交する壁部が端部で相互に接合された箱状をなして内部に一又は複数の被包装体を収容するための包装部を複数連接してなり、前記包装部は、前記壁部を当該壁部に直交した他の壁部から分離する又は前記壁部を複数片に分離するための切れ目が形成されたミシン目線と、当該ミシン目線により分離される壁部又は複数片を折りこむための折れ目が形成された折れ目線と、を有し、当該包装部に収容された被包装体が取り出された際、前記ミシン目線に沿って切れ目が入れられるとともに前記折れ目線に沿って折りこまれることで、当該包装部の体積が減少するように変形し、未開封状態で前記収容された被包装体の側面を覆う壁部には、スリットが形成され、未開封状態で前記スリットが形成された壁部に接合され当該壁部と共有する辺に前記ミシン目線が形成された壁部には、前記共有する辺に前記スリットと係合する係合部が連接されていることを特徴とする。
【００１１】
請求項２に記載の発明は、請求項１に記載の包装箱において、前記各包装部は、複数の被包装体を収容し、前記包装部は、当該包装部に収容された被包装体が取り出された際、前記ミシン目線に沿って切れ目が入れられるとともに前記折れ目線に沿って折りこまれることで、当該包装部の体積が前記取り出された被包装体の個数に応じて減少するように変形することを特徴とする。
【００１４】
請求項３に記載の発明は、請求項１又は２に記載の包装箱において、
前記被包装体はロール状に巻回された家庭用薄葉紙であることを特徴とする。
【発明の効果】
【００１５】
本発明によると、包装箱（包装部）は箱状に形成されているので、消費者は、包装部に収容された被包装体を取り出した際、適宜ミシン目線に沿って切れ目を入れて折れ目線に沿って折りこむことで、容易に包装箱を変形させて小型化できる。また、本発明において、ミシン目線は、包装箱を分断するためのものではなく、切れ目に沿って分離させるために設けられる。つまり、包装箱のうちミシン目線に沿って分離された部分は、包装箱そのものから切除されるのではなく、包装箱と連接されつつも折れ目線に沿った折りこみが可能な状態となる。よって、本発明によると、包装部のうち取り出された被包装体を包装する箇所を分離して折りたたんでいけば良いため、小型化させる上で、当該被包装体を包装していた包装紙を切除しなくともよい。また、本発明によると、側面を覆う壁部にスリットが形成されているので、係合部の連接された壁部を、開封後、当該係合部でスリットの備わる壁部に係合することで、当該壁部間を元の（未開封状態における）直交した状態に戻すことができる。
したがって、本発明は、被包装体を取り出すにつれて小型化できて且つ再利用し易い包装箱を提供できる。
【００１６】
また、請求項２記載の発明によると、包装部の体積が取り出された被包装体の個数に応じて減少するように変形するので、包装箱に残存する被包装体に適した形状に包装箱を小型化できる。
【００１９】
また、請求項３記載の発明によると、被包装体としてロール状に巻回された家庭用薄葉紙を用いることができる。
【図面の簡単な説明】
【００２０】
【図１】第１実施形態に係る包装箱の未開封状態を模式的に表す斜視図である。
【図２】図１に示す包装箱の開封状態を模式的に表す斜視図である。
【図３】図１に示す包装箱の展開図である。
【図４】図２に示す開封状態の包装箱について、第１段包装部に切れ目及び折れ目を入れた状態を模式的に表す斜視図である。
【図５】図１に示す包装箱について１個のトイレットペーパーを取り出した後の変形状態を模式的に表す斜視図である。
【図６】図１に示す包装箱について２個のトイレットペーパーを取り出した後の変形状態を模式的に表す斜視図である。
【図７】変形例１に係る包装箱の未開封状態を模式的に表す斜視図である。
【図８】図７に示す包装箱について第１段包装部に内包されるトイレットペーパーを取り出した後の変形状態を模式的に表す斜視図である。
【発明を実施するための形態】
【００２１】
以下に、図面を参照して、本発明に係る実施形態１及び変形例１の具体的な態様を詳細に説明する。ただし、発明の範囲は、図示例に限定されない。
【００２２】
（第１実施形態）
本実施形態に係る包装箱１は、図１に示すように、被包装体としてのロール状に巻回されたトイレットペーパーＰ（家庭用薄葉紙）を複数個（トイレットペーパーＰ１〜Ｐ４）密封（収容）するための箱であり、ダンボール紙やボール紙等の腰のある包装紙で形成される。
【００２３】
当該包装箱１は、例えば、図２に示すように、トイレットペーパーＰを長手方向に２つ並べて収容可能な第１段包装部１０及び第２段包装部１０００からなる各包装部を、上下２段に連接した構成をとる。ここで、図１に示すとおり、包装箱１が未開封の状態で、第１段包装部１０はトイレットペーパーＰ１及びＰ２を、第２段包装部１０００はトイレットペーパーＰ３及びＰ４を内包するものとする。また、トイレットペーパーＰ１及びＰ３の間及びトイレットペーパーＰ２及びＰ４の間には包装紙は配設されておらず、トイレットペーパーＰ３の上面にＰ１が、トイレットペーパーＰ４の上面にトイレットペーパーＰ２が直接積層される。
そして、包装箱１は、消費者が開封後内部に包装されたトイレットペーパーＰを使用する都度、当該包装箱１に形成された折れ目線に沿って折りこんだりミシン目線に沿って切れ目を入れることで、図５や図６に示すように、小型形状に変形する。以下では、図１及び図２に示す包装箱１を図５や図６に示す形状に変形させるための第１段包装部１０に備わる各部構成について述べる。
なお、以下の説明では、図２に示す包装箱１の長手方向をＸ軸方向、幅方向をＹ軸方向、高さ方向をＺ軸方向と、便宜上定める。
【００２４】
第１段包装部１０は、図１に示す包装箱１が未開封状態で、ＸＺ側面の正面側（図２における手前側）に設けられた正面壁部１００及び背面側（図２における奥側）に設けられた背面壁部２００と、第１段包装部１０の上面に位置する上面壁部３００と、ＹＺ側面の左側（図２における奥側）に設けられた左壁部４００と右側（図２における手前側）に設けられた右壁部５００と、包装箱１が未開封の状態で上面壁部３００と向かい合い、第１段包装部１０の底面に相当する底面孔部６００と、を含む。そして、第１段包装部１０は、包装箱１が未開封状態で、直交する各壁部（正面壁部１００〜右壁部５００）が端部で糊付けなどによって相互に接合された箱状からなる。つまり、第１段包装部１０は、正面壁部１００と、背面壁部２００と、左壁部４００と、右壁部５００と、で形成される側壁部に上面壁部３００が上蓋として覆いかぶさることで、底面孔部６００の上面に配置される（トイレットペーパーＰ３及びＰ４の上部に積層される）トイレットペーパーＰ１及びＰ２を密封する。
ここで、正面壁部１００のうちトイレットペーパーＰ１を包装する部分を第１正面壁部１１０，トイレットペーパーＰ２を包装する部分を第２正面壁部１２０、背面壁部２００のうちトイレットペーパーＰ１を包装する部分を第１背面壁部２１０，トイレットペーパーＰ２を包装する部分を第２背面壁部２２０、上面壁部３００のうちトイレットペーパーＰ１を包装する部分を第１上面壁部３１０，トイレットペーパーＰ２を包装する部分を第２上面壁部３２０、とする。また、以下では、図２に示す状態にある各壁部について、各壁部で形成される内部空間に接する側を内壁側、外部と接触する側を外壁側、と便宜上定める。
【００２５】
第１段包装部１０は、図２や図３から把握されるように、複数のミシン目線Ａ１〜Ａ７と、複数の折れ目線Ｂ１〜Ｂ６と、を有する。ミシン目線と折れ目線は、消費者に視認されやすいように且つ当該ミシン目線と折れ目線との相互の区別がされ易いように、カラー色の線や太線などで表される（図面中では、ミシン目線を太字破線、折れ目線を一点差線、で模式的に表現する）。
【００２６】
ここで、ミシン目線Ａ１は正面壁部１００と右壁部５００とが共有する辺に形成された双方の壁部を分離するための切れ目が形成された線、ミシン目線Ａ３は正面壁部１００と左壁部４００とが共有する辺に形成された双方の壁部を分離するための切れ目が形成された線、ミシン目線Ａ４は背面壁部２００と左壁部４００とが共有する辺に形成された双方の壁部を分離するための切れ目が形成された線、ミシン目線Ａ５は背面壁部２００と右壁部５００とが共有する辺に形成された双方の壁部を分離するための切れ目が形成された線、である。
また、ミシン目線Ａ２は正面壁部１００のＸ軸方向中央位置で当該正面壁部１００を第１正面壁部１１０と第２正面壁部１２０との複数片に分離するための切れ目が形成された線、ミシン目線Ａ６は上面壁部３００のＸ軸方向中央位置で当該上面壁部３００を第１上面壁部３１０と第２上面壁部３２０との複数片に分離するための切れ目が形成された線、ミシン目線Ａ７は背面壁部２００の左端からＸ軸方向中央位置までを分離するための切れ目が形成された線、である。なお、図２は、図１に示す未開封状態の包装箱１に、ミシン目線Ａ１及びＡ３に沿って切れ目を入れた状態を模式的に表す。
ここで、分離は、双方の壁部や複数片が包装箱１と連接されつつも折れ目線Ｂ１〜Ｂ６に沿った折りこみが可能な状態とすることを示唆する。
【００２７】
さらに、折れ目線Ｂ１は正面壁部１００を折り込むための線、折れ目線Ｂ２は左壁部４００を折り込むための線、折れ目線Ｂ３は右壁部５００を折り込むための線、折れ目線Ｂ６は上面壁部３００を折り込むための線、である。また、折れ目線Ｂ４は第２背面壁部２２０を折り込むための線、折れ目線Ｂ５は第１背面壁部２１０を折り込むための線、である。
【００２８】
なお、図３において、第２段包装部１０００に形成された折れ目線Ｃ１〜Ｃ４は、第２段包装部１０００が未開封の状態で、当該折れ目線Ｃ１〜Ｃ４に沿って、各々の折れ目線Ｃ１〜Ｃ４の左右の包装紙を内側に折りたたむための折れ目が形成された線である。つまり、当該左右の包装紙は、第２段包装部１０００が未開封の状態で、折れ目線Ｃ１〜Ｃ４に沿って内側に折りたたまれた状態（相互に密着した状態）で、隣接する壁部の包装紙に固着されている。
【００２９】
そして、第１段包装部１０は、ミシン目線Ａ１〜Ａ７に沿って切れ目が入れられ、折れ目線Ｂ１〜Ｂ６に沿って折り込まれたりすることで、図４に示すように変形する。
【００３０】
ここで、図３及び図４に示すように、第１段包装部１０において、第１正面壁部１１０は係合部１１１、第２正面壁部１２０は係合部１２１、第１上面壁部３１０は係合部３１１、第２上面壁部３２０は係合部３２１、左壁部４００は係合部４０１，４０２、右壁部５００は係合部５０１，５０２、をそれぞれ備える。また、第１背面壁部２１０はスリット２１３、第２背面壁部２２０はスリット２２３、左壁部４００はスリット４０３、右壁部５００はスリット５０３，５０４、をそれぞれ備える。ここで、各係合部は、底辺が各壁部に連接された台形状からなり、当該底辺を介して折り込み自在に形成される。
【００３１】
各係合部のうち係合部１１１，１２１，４０１，５０１は、それぞれ、ミシン目線Ａ１，Ａ３〜Ａ５に沿って切れ目が形成されるまで、図１及び図２で示すように、左壁部４００，右壁部５００，第１背面壁部２１０，第２背面壁部２２０の内壁（スリット４０３，５０３，２１３，２２３の内側）に糊付け等で固着される。そして、係合部１１１，１２１，４０１，５０１は、ミシン目線Ａ１，Ａ３〜Ａ５に沿って切れ目が形成された後、それぞれ、係合部１１１，１２１，４０１，５０１と係合するスリット４０３，５０３，２１３，２２３に嵌通された状態で係止する。
一方で、各係合部のうち係合部３１１，３２１，４０２，５０２は、図２に示す通り、包装箱１が未開封の状態から内壁に固着されておらず折り込み自在である。そして、係合部３１１は、包装箱１を図５に示す形状に変形させる際に、スリット５０４に嵌通された状態で係止する。
【００３２】
また、各係合部は、図５及び図６に示すとおり、各係合部の連接された壁部が他の壁部と直交した状態で、当該直交する壁部の内壁側に挟み込まれる（内壁に当接する）ことで直交した状態を維持させる。さらに、各係合部は、図５及び図６に示すとおり、各係合部の連接された壁部が底面孔部６００と当接した状態で、底面孔部６００へ向けて差し込まれる（下向きに折り込まれる）ことにより、当接した状態を維持させる。つまり、各係合部は、壁部を第２段包装部１０００の上面を塞ぐための上蓋として機能させる。
【００３３】
（一個のトイレットペーパーを取り出した際の包装箱１の変形動作）
次に、消費者が包装箱１より一個のトイレットペーパー（トイレットペーパーＰ１）を取り出した際に包装箱１を小型化させるための動作について述べる。
【００３４】
まず、消費者は、図１に示すトイレットペーパーＰ１〜Ｐ４全てが包装箱１に内包された状態よりトイレットペーパーＰ１を取り出した場合、図２に示すミシン目線Ａ２，Ａ３に沿って切れ目を入れる。そして、消費者は、第１正面壁部１１０を第２段包装部１０００の上蓋にする。つまり、消費者は、折れ目線Ｂ１を介して第１正面壁部１１０を底面孔部６００と接触する位置まで折込み、係合部１１１を底面孔部６００へ向けて差し込んで係止する。
【００３５】
次に、消費者は、ミシン目線Ａ４に沿って切れ目を入れる。そして、消費者は、第１正面壁部１１０の上面に左壁部４００を積み重ねる。つまり、消費者は、折れ目線Ｂ２を介して左壁部４００を底面孔部６００と接触する位置まで折込み、係合部４０１，４０２を底面孔部６００へ向けて差し込んで係止する。
【００３６】
次に、消費者は、ミシン目線Ａ６，Ａ７に沿って切れ目を入れる。この際、第２上面壁部３２０は、折れ目線Ｂ６を介して底面孔部６００と向かい合うように折込み、係合部３２１を第２正面壁部１２０の内壁側に挟み込んで係止させておく。そして、消費者は、折れ目線Ｂ５を介して第１背面壁部２１０（及び第１上面壁部３１０）を右壁部５００と向かい合うように折込む。さらに、消費者は、折れ目線Ｂ６を介して第１上面壁部３１０を底面孔部６００と向かい合うように折込み、係合部３１１を右壁部５００のスリット５０４に挟み込んで係止する。
【００３７】
以上の動作を行うことにより、包装箱１は、図５に示すように、トイレットペーパーＰ１を包装していた分の体積が減少して小型化するとともに、トイレットペーパーＰ２〜Ｐ４を継続的に密封することができる。
【００３８】
（二個のトイレットペーパーを取り出した際の包装箱１の変形動作）
次に、消費者が包装箱１より二個のトイレットペーパー（トイレットペーパーＰ１及びＰ２）を取り出した際に包装箱１を小型化させるための動作について述べる。
【００３９】
まず、消費者は、図５に示すトイレットペーパーＰ２〜Ｐ４が包装箱１に内包された状態よりトイレットペーパーＰ２を取り出した場合、ミシン目線Ａ１，Ａ５に沿って切れ目を入れ、第１段包装部１０を図４に示すような状態に変形する。
【００４０】
そして、消費者は、上面壁部３００を第２段包装部１０００内部に押し込み、背面壁部２００を第２段包装部１０００の上蓋にする。つまり、消費者は、折れ目線Ｂ６を介して上面壁部３００を背面壁部２００と直交するように折り込むとともに、折れ目線Ｂ４を介して背面壁部２００を底面孔部６００と当接する位置まで折込む。この際、係合部３１１，３２１は、背面壁部２００の内壁に当接するように折り曲げておく。
【００４１】
次に、消費者は、正面壁部１００を背面壁部２００の上部に積み重ねる。つまり、消費者は、折れ目線Ｂ１を介して正面壁部１００を底面孔部６００と当接する位置まで折込み、係合部１１１及び１２１を底面孔部６００へ向けて差し込んで係止する。
【００４２】
そして、消費者は、折れ目線Ｂ２及びＢ３を介して左壁部４００及び右壁部５００を底面孔部６００と接触する位置まで折込むことで、包装箱１は、図６に示すように、トイレットペーパーＰ２を包装していた分の体積が減少して小型化するとともに、トイレットペーパーＰ３及びＰ４を継続的に密封することができる。ここで、係合部４０１及び５０１は、図６に示すように、左壁部４００及び右壁部５００の内壁に当接するように折り込んでも良いし、必要に応じて底辺より切断してもよい。
【００４３】
なお、上記変形動作により包装箱１を小型化した後であっても、消費者は、側壁部に備わる各係合部及び各スリットを用いて、包装箱１を再度元の形状に戻すことができる。この場合、消費者は、折れ目線Ｂ１〜Ｂ６を介して側壁部をＺ軸方向と平行な向きに折り曲げた状態で、係合部１１１を左壁部４００のスリット４０３に挟み込み、係合部１２１を右壁部５００のスリット５０３に挟み込み、係合部４０１を第１背面壁部２１０のスリット２１３に挟み込み、係合部５０１を第２背面壁部２２０のスリット２２３に挟み込む。すると、側壁部は、各壁部間が元の（未開封状態における）直交した状態になる。
【００４４】
以上説明したように、実施形態１に係る包装箱１によれば、包装箱１（第１段包装部１０及び第２段包装部１０００）は箱状に形成されているので、消費者は、第１段包装部１０に収容されたトイレットペーパーＰを取り出す際、適宜ミシン目線Ａ１〜Ａ７に沿って切れ目を入れて折れ目線Ｂ１〜Ｂ６に沿って折りこむことで、容易に包装箱１を変形させて小型化できる。また、包装箱１に備わるミシン目線Ａ１〜Ａ７は、包装箱１を分断するためのものではなく、切れ目に沿って分離させるために設けられる。つまり、包装箱のうちミシン目線Ａ１〜Ａ７に沿って分離された壁部や複数片は、包装箱１と連接されつつも折れ目線Ｂ１〜Ｂ６に沿った折りこみが可能な状態となる。よって、消費者は、第１段包装部１０のうち取り出されたトイレットペーパーＰ１及び／又はＰ２を包装する箇所を分離して折りたたんでいけば良いため、包装箱１を小型化させる上で、当該トイレットペーパーＰ１及び／又はＰ２を包装していた包装紙を切除しなくともよい。そのため、包装箱１は再利用性に富むといえる。
したがって、本発明は、被包装体を取り出すにつれて小型化できて且つ再利用し易い包装箱を提供できる。
【００４５】
さらに、包装箱１は、箱型に形成されているのでトイレットペーパーＰの取り出しが容易であり、包装袋のように消費者が無理やりに開封しようとしてパッケージフィルムに破れが生じ、見栄えが悪くなるとともに、トイレットペーパーＰを収納し辛くなる等の事態も回避できる。
【００４６】
また、第１段包装部１０は当該第１段包装部１０の体積が取り出されたトイレットペーパーＰの個数に応じて減少するように変形するので、包装箱１に残存するトイレットペーパーＰに適した形状に包装箱１を小型化できる。そのため、小型化した状態で包装箱１に残存する（密封される）トイレットペーパーＰは、埃等が被らないように衛生的に保管される。また、残存するトイレットペーパーＰに香料が染み込ませている場合、当該香料を損なわずにすむ。
【００４７】
また、側壁部にはスリット４０３，５０３，２１３，２２３及び各スリットと係合する係合部１１１，１２１，４０１，５０１が形成されているので、開封後、各係合部を各スリットに係合させることで、各壁部間を元の（未開封状態における）直交した状態に戻すことができるため、包装箱１は、一層再利用し易くなる。
【００４８】
（変形例１）
次に、変形例１の包装箱１ａについて、図７及び図８を用いて説明する。
実施形態１の包装箱１では、１つのトイレットペーパー単位で包装箱１を小型化できるように構成したが、変形例１では、図７及び図８に示すように、第１段包装部１０ａ〜第３段包装部２０００ａからなる包装箱１ａを、各段の包装部単位で小型化できるように構成する。
以下では、図７に示す包装箱１ａを図８に示す形状に変形するための第１段包装部１０ａに備わる各部構成について述べる。ここで、包装箱１ａは、各段の包装部に四個のトイレットペーパーＰをＸ軸方向及びＹ軸方向に沿って２つずつ収容し、各段の包装部が上下に積層された形状からなる。なお、以下の包装箱１ａの説明においては、実施形態１の包装箱１との相違点を中心に説明し、一致する構成には、同一の符号を付し、説明を省略する。
【００４９】
第１段包装部１０ａは、図７に示すように、正面壁部１００と、背面壁部２００と、上面壁部３００と、左壁部４００と、右壁部５００と、底面孔部６００と、を含む。そして、正面壁部１００と、背面壁部２００と、左壁部４００と、右壁部５００と、で形成される側壁部に上面壁部３００が上蓋として覆いかぶさることで第１段包装部１０ａは密封され、底面孔部６００の上面に配置される四個のトイレットペーパーＰを包装状態にする。
【００５０】
ここで、側壁部である（未開封状態で第１段包装部１０ａの側面に相当する）左壁部４００及び右壁部５００の外壁面には、帯状の取手Ｔを着脱自在に取り付けるための着脱部４２０ａ，５２０ａが備わる。当該着脱部４２０ａ，５２０ａは、例えば、取手Ｔの端部を係止するためのスリットである。そして、消費者は当該取手Ｔを着脱部４２０ａ，５２０ａに装着した状態で把手することで、容易に包装箱１ａを持ち上げて移動させることが出来る。
なお、図７及び図８において、着脱部１４２０ａ，１５２０ａ及び着脱部２４２０ａ，２５２０ａに示すように、着脱部は、各段の包装部について左壁部及び右壁部の外壁面に設けられる。つまり、消費者は、包装箱１ａを小型化した後でも取手Ｔを容易に取り付けられる。
【００５１】
また、第１段包装部１０ａは、複数のミシン目線Ａ１１〜Ａ１４と、複数の折れ目線Ｂ１１〜Ｂ１４とを有する。ここで、ミシン目線Ａ１１は正面壁部１００と右壁部５００との境界線、ミシン目線Ａ１２は正面壁部１００と左壁部４００との境界線、ミシン目線Ａ１３は背面壁部２００と左壁部４００との境界線、ミシン目線Ａ１４は背面壁部２００と右壁部５００との境界線、ミシン目線Ａ１５は上面壁部３００を切断するための境界線に相当する。
さらに、折れ目線Ｂ１１は右壁部５００をＹ軸回りに折り込むための線、折れ目線Ｂ１２は左壁部４００をＹ軸回りに折り込むための線、である。また、折れ目線Ｂ１３及び折れ目線Ｂ１４は、正面壁部１００及び背面壁部２００をＺ軸方向の中央位置で内壁側へ折り畳むための線である。
つまり、第１段包装部１０ａは、折れ目線Ｂ１１及びＢ１２を介して左壁部４００及び右壁部５００を第２段包装部１０００ａの上蓋となるように折り込むとともに、折れ目線Ｂ１３及び折れ目線Ｂ１４を介して正面壁部１００及び背面壁部２００を内壁側へ折り畳むことで、小型化する。
【００５２】
（各段の包装部のトイレットペーパーを取り出した際の包装箱１の変形動作）
次に、消費者が包装箱１の各段の包装部に包装されるトイレットペーパーＰを全て取り出した際に包装箱１の形状を変形させるための動作について述べる。ここでは、一例として、
消費者が第１段包装部１０ａより四個のトイレットペーパーＰを取り出した場合を一例にとして説明する。
【００５３】
まず、消費者は、図７に示す状態で、四個のトイレットペーパーＰを包装箱１ａより取り出した場合、ミシン目線Ａ１５に沿って切れ目を入れて上面壁部３００を切断する。
次いで、消費者は、ミシン目線Ａ１１〜Ａ１４に沿って切れ目を入れ、取手Ｔを着脱部４２０ａ，５２０ａより取り外す。
次いで、消費者は、左壁部４００及び右壁部５００を第２段包装部１０００ａの上蓋となるように折り込む。つまり、消費者は、折れ目線Ｂ１１及びＢ１２を介して左壁部４００及び右壁部５００を底面孔部６００と接触する位置まで折込む。
次いで、折れ目線Ｂ１３及び折れ目線Ｂ１４を介して正面壁部１００及び背面壁部２００を内壁側へ折り畳み、取手Ｔを第２段包装部１０００ａの着脱部１４２０ａ，１５２０ａに取り付ける。
以上の変形動作により、包装箱１ａは、図８に示すように、四個のトイレットペーパーＰを包装していた分の体積が減少して小型化するとともに、残りの包装部１０００ａ及び２０００ａに包装されていたトイレットペーパーＰを継続的に密封することができる。
【００５４】
以上説明したように、変形例１に係る包装箱１ａによれば、実施形態１に係る包装箱１と同様の効果を発揮することは勿論のこと、実施形態１に係る包装箱１に比べてミシン目線や折れ目線の数が少なく、小型化するための変形動作が容易である。
【００５５】
また、包装箱１ａは、各包装部１０ａ、１０００ａ、２０００ａの左壁部及び右壁部に、包装箱１ａを持ち運ぶための取手Ｔを着脱自在にする着脱部４２０ａ，５２０ａ，１４２０ａ，１５２０ａ，２４２０ａ，２５２０ａを備える。そのため、消費者は当該取手Ｔを介して、包装箱１ａを変形させて小型化させる都度、取手Ｔを別の包装部の左壁部及び右壁部に装着することで、常に包装箱１ａを持ち運び可能な状態にできる。
【００５６】
なお、本発明の範囲は上記実施形態に限られることなく、本発明の趣旨を逸脱しない範囲において種々の改良並びに設計の変更を行っても良い。
例えば、包装箱が収容可能なトイレットペーパーの個数は、実施形態１及び変形例１で例示した個数に限定されない。つまり、実施形態１及び変形例１において、各段にトイレットペーパーを２個収容可能な構成にしたため、２段とした場合は計４個収容することとなるが、各段にトイレットペーパーを３個収容可能な構成にして２段（計６個）あるいは3段（計９個）にする、または、各段にトイレットペーパーを４個収容可能な構成にして２段（計８ロール）にすることも当然可能である。
【００５７】
また、実施形態１及び変形例１において、各包装部を上下に連接する構成としたが、左右に連接する構成としてもよい。
さらに、被包装体としてトイレットペーパーを例示したが、キッチンタオルなどロール状に巻回された別の家庭用薄葉紙であってもよいし、家庭用薄葉紙以外のものであってもよい。
【符号の説明】
【００５８】
１，１ａ              包装箱
１０，１０ａ          第１段包装部
１００                正面壁部
２００                背面壁部
３００                上面壁部
４００                左壁部
４２０ａ              着脱部
５００                右壁部
５２０ａ              着脱部
６００                底面孔部
Ａ１〜Ａ１５          ミシン目線
Ｂ１〜Ｂ１４          折れ目線
１１１，１２１，３１１，３２１，４０１，４０２，５０１，５０２      係止部
２１３，２２３，４０３，５０３，５０４      スリット
１０００，１０００ａ  第２段包装部
１４２０ａ            着脱部
１５２０ａ            着脱部
２０００ａ            第３段包装部
２４２０ａ            着脱部
２５２０ａ            着脱部
Ｐ（Ｐ１〜Ｐ４）      トイレットペーパー
Ｔ                    取手
【図１】
0005671291.tif 000002
【図２】
0005671291.tif 000003
【図３】
0005671291.tif 000004
【図４】
0005671291.tif 000005
【図５】
0005671291.tif 000006
【図６】
0005671291.tif 000007
【図７】
0005671291.tif 000008
【図８】
0005671291.tif 000009